(57)【要約】【課題】従来と比して信頼性を向上する。【解決手段】本発明は、扉１３及びトップカバー１４が閉じた状態で、扉１３の縁部１３Ｂにおけるトップカバー１４のストッパー１４Ｅと対向する位置に開閉検出部１６が設けられることにより、扉１３及びトップカバー１４の両方が閉じていることを検出することができ、これにより従来のようにトップカバーが開いた状態でのシステムの起動を防止することができる。【選択図】図３
2014044530.tif 000002
【特許請求の範囲】
【請求項１】
接客部から現金を出し入れすることにより該現金を管理するユニットと、
一部が開口し、該開口から前記ユニットが内部に出し入れされる筐体と、
前記筐体に回動自在に支持され、回動することにより前記筐体部の開口の一部を開閉する扉と、
前記筐体に回動自在に支持され、前記筐体部の開口における前記扉が開閉する一部に隣接した残部を回動することにより開閉し、前記扉と共に閉じた状態において該扉と前記ユニットとの間に延在して該扉に当接することにより回動を妨げるストッパーが設けられるトップカバーと、
前記扉及び前記トップカバーが閉じた状態における該扉と該ストッパーとの間に設けられ、前記扉及び前記トップカバーの開閉を検出する開閉検出部と
を有する現金管理装置。
【請求項２】
前記筐体は、前面及び該前面から上面にかけて後方に傾斜した傾斜面が開口し、
前記ユニットは、前記筐体に収納された際に、該筐体の傾斜面に沿った面を有する形状でなり、
前記扉は、前記筐体の前面を開閉し、
前記トップカバーは、前記筐体の傾斜面を開閉し、前記ユニットより高い位置であって、前記ユニットが前記筐体内から引き出される際に閉じた状態で前記ユニットが当接した場合に開く方向に回動するような位置に、回動中心となる支点部が設けられる
請求項１に記載の現金管理装置。
【請求項３】
前記ストッパーは、
前記トップカバーが閉じた状態で下方向から前方向にかけて延在するＬ字型に形成され、前記ユニットの上面に当接した際に先端が該上面から離間する
請求項２に記載の現金管理装置。
【請求項４】
前記扉は、縁に所定厚さ及び所定高さでなる縁部が設けられ、
前記ストッパーは、前記扉及び前記トップカバーが閉じた状態で、前記扉の縁部を囲むように形成される
請求項３に記載の現金管理装置。
【発明の詳細な説明】
【技術分野】
【０００１】
本発明は、現金管理装置に関し、例えば、紙幣を扱う現金管理装置に関するものである。
【背景技術】
【０００２】
従来、図１０に示すように、紙幣を管理する現金管理装置２００は、筐体２０１内にユニット２０２が格納される（例えば、特許文献１参照）。
【０００３】
ユニット２０２は、利用者との間で紙幣の授受を行う入出金口２０２Ａを有する接客部、投入された紙幣の金種及び真偽を鑑別する鑑別部、投入された紙幣を一時的に収納する一時保留部、金種ごとに紙幣を保管する紙幣カセット等により構成される。
【０００４】
ユニット２０２は、略直方体形状に形成され、前面から上面にかけての一部が傾斜した傾斜面を有する。ユニット２０２は、傾斜面に入出金口２０２Ａが設けられる。
【０００５】
筐体２０１は、前面及びユニット２０２の傾斜面に沿って傾斜した傾斜面が開口している。開口された前面を覆うように扉２０３が設けられ、開口された傾斜面を覆うようにトップカバー２０４が設けられる。
【０００６】
また、現金管理装置２００は、筐体２０１におけるトップカバー２０４の上側に操作表示部２０５が設けられている。使用者は、各種指示を操作表示部２０５を介して入力し、入力された指示に応じた各種情報を操作表示部２０５に表示する。
【０００７】
扉２０３は、筐体２０１の前面が開閉するよう回動可能に支持される。
【０００８】
トップカバー２０４は、図１１に示すように、筐体２０１の傾斜面に沿って配され、上方一端に設けられた支点部２０４Ｂを中心に回動可能に支持される。なおトップカバー２０４は、ユニット２０２の入出金口２０２Ａと対向する位置に紙幣を出し入れするための入出金孔２０４Ａが設けられる。
【０００９】
トップカバー２０４は、筐体２０１の傾斜面に沿った下方側一端に、閉じた状態で下方向に延在し、かつユニット２０２と扉２０３との間に位置するようにストッパー２０４Ｃが設けられる。
【００１０】
従って現金管理装置２００では、扉２０３が開いていないとトップカバー２０４は開くことができない。またトップカバー２０４が開いていないとユニット２０５は筐体２０１内から引き出せない。
【００１１】
現金管理装置２００では、図１２（Ａ）に示すように、筐体２０１内に格納されたユニット２０２を引き出す場合、扉２０３が開かれた後にトップカバー２０４が開かれる。そして、図１２（Ｂ）に示すように、トップカバー２０４が開かれると、ユニット２０２を引き出すことができる。
【００１２】
一方、現金管理装置２００では、ユニット２０２を筐体２０１内に格納する場合、引き出す場合と反対の順序で、ユニット２０２が筐体内２０１内に入れられ、トップカバー２０４が閉じられた後に扉２０３が閉められる。
【００１３】
ところで現金管理装置２００は、筐体２０１における扉２０３と対向する位置の下側に開閉検出部２０６が設けられており、扉２０３の開閉を検知する。現金管理装置２００では、扉２０３が開いている状態でシステムを起動しようとすると、開閉検出部２０６が扉２０３の開きを検出してアラームを鳴らす。
【先行技術文献】
【特許文献】
【００１４】
【特許文献１】特開平６−２７２４５３号公報
【発明の概要】
【発明が解決しようとする課題】
【００１５】
ところで、上述した現金管理装置２００では、図１３に示すように、トップカバー２０４が閉じられる前に扉２０３が閉じられた場合、トップカバー２０４が開いていても開閉検出部２０６がこれを検知できず、アラームを鳴らすことなくシステムが起動し、操作が可能となる。
【００１６】
このように従来の現金管理装置２００は、トップカバー２０４が開いている状態でシステムが起動してしまうといったことが起こり得る。そこで、より現金管理装置の信頼性を向上することが望まれる。
【００１７】
本発明は以上の点を考慮したもので、従来に比して装置の信頼性を向上し得る現金管理装置を提案しようとするものである。
【課題を解決するための手段】
【００１８】
かかる課題を解決するため本発明においては、接客部から現金を出し入れすることにより該現金を管理するユニットと、一部が開口し、該開口からユニットが内部に出し入れされる筐体と、筐体に回動自在に支持され、回動することにより筐体部の開口の一部を開閉する扉と、筐体に回動自在に支持され、筐体部の開口における扉が開閉する一部に隣接した残部を回動することにより開閉し、扉と共に閉じた状態において該扉とユニットとの間に延在して該扉に当接することにより回動を妨げるストッパーが設けられるトップカバーと、扉及びトップカバーが閉じた状態における該扉とストッパーとの間に設けられ、扉及びトップカバーの開閉を検出する開閉検出部とを有する。
【００１９】
これにより、開閉検出部が扉及びトップカバーの両方が閉じていることを検出するので、扉及びトップカバーの両方が閉じている場合にのみシステムを起動させることができ、従来のように扉のみの開閉しか検出できずトップカバーが開いた状態でのシステムの起動を防止することができる。
【発明の効果】
【００２０】
本発明によれば、開閉検出部が扉及びトップカバーの両方が閉じていることを検出するので、扉及びトップカバーの両方が閉じている場合にのみシステムを起動させることができ、従来のように扉のみの開閉しか検出できずトップカバーが開いた状態でのシステムの起動を防止することができ、かくして装置の信頼性を向上することができる。
【図面の簡単な説明】
【００２１】
【図１】現金管理装置の構成（１）を示す略線図である。
【図２】現金管理装置の構成（２）を示す略線図である。
【図３】第１の実施の形態における扉及びトップカバーの構成を示す略線図である。
【図４】第１の実施の形態におけるトップカバーの閉め忘れの様子を示す略線図である。
【図５】トップカバーの開く力を示す略線図である。
【図６】第１の実施の形態におけるユニットを引き出す途中の様子を示す略線図である。
【図７】第１の実施の形態におけるユニットを格納する途中の様子を示す略線図である。
【図８】第２の実施の形態における扉及びトップカバーの構成を示す略線図である。
【図９】第２の実施の形態におけるユニットを格納する途中の様子を示す略線図である。
【図１０】従来の現金管理装置の構成を示す略線図である。
【図１１】従来の現金管理装置における扉及びトップカバーの構成を示す略線図である。
【図１２】従来の現金管理装置における扉及びトップカバーの開閉、及びユニットの出し入れを示す略線図である。
【図１３】従来の現金管理装置におけるトップカバーの閉め忘れの様子を示す略線図である。
【発明を実施するための形態】
【００２２】
以下、発明を実施するための形態について、図面を用いて詳細に説明する。
【００２３】
〔１．第１の実施の形態における現金管理装置の構成〕
まず第１の実施の形態について説明する。現金管理装置１は、例えば百貨店やスーパーマーケット等の小売業の店舗に設置され、店舗の売場に設置されるレジスタへの出金及び入金等を行って現金を管理するものである。
【００２４】
現金管理装置１は、図１及び図２に示すように、筐体１１内にユニット１２が格納される。なお現金管理装置１は、筐体１１内に現金管理装置１を駆動制御する制御部等（図示せず）が設けられる。
【００２５】
ユニット１２は、利用者との間で紙幣の授受を行う入出金口１２Ａを有する接客部、投入された紙幣の金種及び真偽を鑑別する鑑別部、投入された紙幣を一時的に収納する一時保留部、金種ごとに紙幣を保管する紙幣カセット等により構成される。
【００２６】
ユニット１２は、略直方体形状に形成され、前面から上面にかけての一部が傾斜した傾斜面を有する。ユニット１２は、傾斜面に入出金口１２Ａが設けられる。
【００２７】
筐体１１は、前面及びユニット１２の傾斜面に沿って傾斜した傾斜面が開口している。開口された前面を覆うように扉１３が設けられ、開口された傾斜面を覆うようにトップカバー１４が設けられる。
【００２８】
現金管理装置１は、筐体１１におけるトップカバー１４の上側に操作表示部１５が設けられている。使用者は、各種指示を操作表示部１５の入力手段を介して入力し、入力された指示に応じた各種情報を操作表示部１５の表示手段に表示する。この操作表示部１５は、入力手段としてキーボード入力、タッチパネル入力等が適応される。また操作表示部１５は、表示手段として液晶ディスプレイ等が適応される。
【００２９】
扉１３は、筐体１１の前面を覆う大きさを有する板部１３Ａの内面の縁に、所定厚さ及び所定高さの縁部１３Ｂが周方向にわたって設けられるようにして形成される。なお扉１３には、図示せぬ鍵、取っ手等が設けられる。
【００３０】
扉１３は、右端が上下方向に沿って筐体１１に回動可能に支持され、筐体１１の前面から離れるように回動移動されることにより筐体１１の前面を開放し、筐体１１の前面に近づくように回動移動され該前面に当接することより該前面を覆う。
【００３１】
トップカバー１４は、図３に示すように、ユニット１２の傾斜面と対向するように筐体１１の傾斜面に沿って配される。トップカバー１４は、筐体１１の傾斜面に沿って配されるトップカバー本体部１４Ｂの上方側一端が、Ｕ字に形成されたＵ字アーム１４Ｃの一端に接続される。
【００３２】
Ｕ字アーム１４Ｃの他端は、トップカバー本体部１４Ｂより上方に位置する支点部１４Ｄに接続される。そしてトップカバー１４は、支点部１４Ｄを介して筐体１１に回動可能に支持される。
【００３３】
トップカバー１４は、筐体１１の傾斜面に沿って配された閉じた状態で筐体１１の傾斜面を覆う。またトップカバー１４は、支点部１４Ｄを中心として筐体１１の傾斜面から十分に離れた開いた状態で固定することができる。
【００３４】
トップカバー１４は、筐体１１の傾斜面に沿った下方側一端に、閉じた状態で下方向に延在し、かつユニット１２と扉１３の縁部１３Ｂとの間に位置するようにストッパー１４Ｅが設けられる。
【００３５】
従って、扉１３が閉じている状態でトップカバー１４が開かれようとすると、ストッパー１４Ｅが扉１３の縁部１３Ｂに当接してトップカバー１４は開かない。
【００３６】
なおトップカバー１４は、閉じた状態でユニット１２の入出金口１２Ａと対向する位置に紙幣を出し入れするための入出金孔１４Ａが設けられる。
【００３７】
現金管理装置１では、筐体１１内に格納されたユニット１２を取り出す場合、扉１３がロックを解除されてから開かれた後にトップカバー１４が開かれることにより、筐体１１の前面及び傾斜面が開かれてユニット１２を前方に引き出すことができる。
【００３８】
一方、現金管理装置１では、ユニット１２を筐体１１内に格納する場合、扉１３及びトップカバー１４が開かれた状態でユニット１２が筐体１１内に入れられ、トップカバー１４が閉じられた後に扉１３が閉じられることでユニット１２が筐体１１内に格納される。
【００３９】
ところで現金管理装置１は、扉１３の縁部１３Ｂであって、扉１３及びトップカバー１４が閉じている状態でストッパー１４Ｅと対向する位置に開閉検出部１６が設けられる。開閉検出部１６は、例えば押ボタンスイッチが適応され、扉１３及びトップカバー１４が閉じている状態でスイッチが押されたＯＮ状態となり、扉１３及びトップカバー１４のどちらか一方でも開いた状態でスイッチが押されていないＯＦＦ状態となる。このようにして開閉検出部１６は、扉１３及びトップカバー１４の開閉を検出する。
【００４０】
従って現金管理装置１では、図４に示すように、扉１３が閉じた状態でかつトップカバー１４が開いている状態である場合、開閉検出部１６によって扉１３及びトップカバー１４の少なくとも一方が開いていることを検出することができる。
【００４１】
これにより現金管理装置１は、この状態でシステムを起動する操作が操作表示部１５を介して行われた場合、アラーム等により扉１３及びトップカバー１４の一方又は双方が開いていることを使用者に通知し、また扉１３及びトップカバー１４の一方又は双方が開いている状態でのシステムの起動を停止する。
【００４２】
このように現金管理装置１は、扉１３及びトップカバー１４が閉じた状態で、扉１３の縁部１３Ｂにおけるトップカバー１４のストッパー１４Ｅと対向する位置に開閉検出部１６が設けられることにより、扉１３及びトップカバー１４の両方が閉じていることを検出することができる。
【００４３】
これにより現金管理装置１は、従来のように扉２０３のみの開閉しか検出できずトップカバー２０４の開閉を検出することができないことによる、トップカバー１４が開いた状態でのシステムの起動を防止することができ、装置の信頼性を向上することができる。
【００４４】
また現金管理装置１は、トップカバー１４の開閉を検出するために別途、開閉検出部を設ける必要がないため、装置全体を簡易な構成にすることができるとともに、開閉検出部を別途設けることがないためコストアップせずにトップカバー１４の開閉を検出することができる。
【００４５】
さらに現金管理装置１は、図５（Ａ）に示すように、トップカバー１４の回動中心となる支点部１４Ｄが、図５（Ｂ）に示す従来のトップカバー２０４の回動中心となる支点部２０４Ｂと比して、ユニット１２からより離れた上方に位置する。
【００４６】
これにより現金管理装置１では、トップカバー１４が閉じた状態でユニット１２が引き出される場合、ユニット１２がトップカバー１４に当接した際に支点部１４Ｄを中心としてユニット１２から離間する方向に回動する力が、従来のトップカバー２０４の場合よりも大きくなる。
【００４７】
従って現金管理装置１は、トップカバー１４が閉じた状態でユニット１２が引き出される場合でも、ユニット１２がトップカバー１４に当接した際に支点部１４Ｄを中心として開く方向にトップカバー１４が移動することができ、ユニット１２が引き出される力によりトップカバー１４が破損する可能性を低減することができる。かくして現金管理装置１は、従来と比してより装置の信頼性を向上することができる。
【００４８】
さらに現金管理装置１は、図６に示すように、トップカバー１４のストッパー１４Ｅがユニット１２の上面に当接した状態でユニット１２が引き出される場合、ユニット１２の上面に設けられるネジ等の突起部１２Ｂにストッパー１４Ｅが接してもトップカバー１４が支点部１４Ｄを中心に上方向に突起部１２Ｂを乗り上げるように移動する。従って現金管理装置１は、このような状況においてもトップカバー１４が破損する可能性を従来の現金管理装置２００と比して低減することができる。
【００４９】
〔２．第２の実施の形態における現金管理装置の構成〕
次に第２の実施の形態について説明する。第１の実施の形態における現金管理装置１は、図７に示すように、トップカバー１４のストッパー１４Ｅがユニット１２の上面に当接した状態でユニット１２が収納される場合、ユニット１２の上面に設けられる突起部１２Ｂにストッパー１４Ｅが引っかかってしまい、トップカバー１４が破損する可能性がある。第２の実施の形態における現金管理装置１００は、このような状況においてもトップカバー１１４の破損の可能性を低減する。
【００５０】
第１の実施の形態における現金管理装置１と対応する部分に同一符号を付した図８に示すように、第２の実施の形態における現金管理装置１００は、現金管理装置１のトップカバー１４に代えてトップカバー１１４が設けられる。
【００５１】
トップカバー１１４は、トップカバー１４と同様にＵ字アーム部１１４Ｃを介して支点部１１４Ｄに接続され、該支点部１１４Ｄを中心に回動可能に筐体１１に支持される。
【００５２】
トップカバー１１４は、筐体１１の傾斜面に沿った下方側一端に、閉じた状態で扉１３の縁部１３Ｂを囲むようにして下方向及び前方向に延在するＬ字型に形成されたストッパー１１４Ｅが、ユニット１２と扉１３の縁部１３Ｂとの間に位置するように設けられる。
【００５３】
これにより現金管理装置１００は、現金管理装置１と同様に、開閉検出部１６が扉１３及びトップカバー１１４の両方が閉じていることを検出することができ、トップカバー１１４が開いた状態でのシステムの起動を防止することができるとともに、装置全体を簡易な構成にすることができる。
【００５４】
また現金管理装置１００は、トップカバー１１４のストッパー１１４Ｅがユニット１２の上面に当接した状態でユニット１２が引き出される場合だけでなく、図９に示すように、トップカバー１１４のストッパー１１４Ｅがユニット１２の上面に当接した状態でユニット１２が収納される場合であっても、ストッパー１１４ＥがＬ字型に形成されていることによりストッパー１１４Ｅの先端がユニット１２の上面から離間するので突起部１２Ｂに引っ掛かることなく、トップカバー１１４が支点部１１４Ｃを中心に上方向に突起部１２Ｂを乗り上げるように移動する。従って現金管理装置１００は、このような状況においてもトップカバー１１４が破損する可能性を低減することができる。
【００５５】
〔３．他の実施の形態〕
上述した実施の形態においては、開閉検出部１６が扉１３に設けられるようにした場合について述べた。本発明はこれに限られず、扉１３及びトップカバー１４の両方が閉じていることを検出できるのであれば、例えばトップカバー１４に設けられていてもよい。
【産業上の利用可能性】
【００５６】
本発明は、現金を管理する現金管理装置などの装置で広く利用することができる。
【符号の説明】
【００５７】
１……現金管理装置、１１……筐体、１２……ユニット、１３……扉、１４……トップカバー、１４Ａ……入出金孔、１４Ｂ……トップカバー本体部、１４Ｃ……Ｕ字アーム部、１４Ｄ……支点部、１４Ｅ……ストッパー、１５……操作表示部、１６……開閉検出部。
【図１】
2014044530.tif 000003
【図２】
2014044530.tif 000004
【図３】
2014044530.tif 000005
【図４】
2014044530.tif 000006
【図５】
2014044530.tif 000007
【図６】
2014044530.tif 000008
【図７】
2014044530.tif 000009
【図８】
2014044530.tif 000010
【図９】
2014044530.tif 000011
【図１０】
2014044530.tif 000012
【図１１】
2014044530.tif 000013
【図１２】
2014044530.tif 000014
【図１３】
2014044530.tif 000015